(57)【要約】【課題】荷台幅方向への展開と収束を一人で行うことができるトラックシート開閉装置及びトラックシートを提供すること。【解決手段】本発明のトラックシート開閉装置は、キャビン１のリア面又は鳥居３に取り付けるレール部材１０と、レール部材１０を摺動する複数のランナー２０と、荷台２を覆うトラックシート３０とを備え、トラックシート３０の前端部３０Ｆには、複数の前端側鳩目３１を設け、前端側鳩目３１を、ランナー２０の取り付けに用い、前端側鳩目３１に取り付けたランナー２０間を離間させることで、トラックシート３０を荷台２幅方向に展開して荷台２をトラックシート３０で覆い、前端側鳩目３１に取り付けたランナー２０間を近接させることで、トラックシート３０の荷台２幅方向の少なくとも一部を収束して荷台２の少なくとも一方の側部からトラックシート３０を除くことを特徴とする。【選択図】図１
2020044978.tif 000002
【特許請求の範囲】
【請求項１】
運転席を有するキャビンと荷物を積載する荷台とを有し、前記キャビンと前記荷台との間には鳥居が配置され、前記荷台が後あおり及び一対の側あおりで囲まれる車両に用いるトラックシート開閉装置であって、
前記キャビンのリア面又は前記鳥居に取り付けるレール部材と、
前記レール部材を摺動する複数のランナーと、
前記荷台を覆うトラックシートと
を備え、
前記トラックシートの前端部には、複数の前端側鳩目を設け、
前記前端側鳩目を、前記ランナーの取り付けに用い、
前記前端側鳩目に取り付けた前記ランナー間を離間させることで、前記トラックシートを荷台幅方向に展開して前記荷台を前記トラックシートで覆い、
前記前端側鳩目に取り付けた前記ランナー間を近接させることで、前記トラックシートの前記荷台幅方向の少なくとも一部を収束して前記荷台の少なくとも一方の側部から前記トラックシートを除く
ことを特徴とするトラックシート開閉装置。
【請求項２】
前記前端側鳩目に取り付けた全ての前記ランナーを、前記レール部材の一方に近接させることで、前記トラックシートを前記荷台の前記側部に収束し、
収束させた前記トラックシートを、巻回又は折り畳むことで前記荷台の前部位置に収容する
ことを特徴とする請求項１に記載のトラックシート開閉装置。
【請求項３】
前記レール部材の端部には、前記ランナーの移動を規制するストッパーを有し、
前記ストッパーを取り外すことで、前記ランナーを前記レール部材から取り外す
ことを特徴とする請求項１又は請求項２に記載のトラックシート開閉装置。
【請求項４】
前記レール部材を、
長手方向に溝を形成したレールリア面と、
前記レールリア面と対向するレールフロント面と、
前記レールリア面のリア面上端と前記レールフロント面のフロント面上端とをつなぐレール上面と、
前記レールリア面のリア面下端と前記レールフロント面のフロント面下端とをつなぐレール下面と
で筒状に形成した
ことを特徴とする請求項１から請求項３のいずれか１項に記載のトラックシート開閉装置。
【請求項５】
前記トラックシートの後端部には、複数の後端側鳩目を設け、
前記後端側鳩目を、前記荷台に前記トラックシートを取り付けるバンド止めに用いる
ことを特徴とする請求項１から請求項４のいずれか１項に記載のトラックシート開閉装置。
【請求項６】
前記トラックシートの両側部には、それぞれシート側辺部を有し、
前記レール部材を前記後あおりの上端よりも高い位置に設置し、
前記シート側辺部は、側辺前端部を側辺後端部よりも長くした
ことを特徴とする請求項１から請求項５のいずれか１項に記載のトラックシート開閉装置。
【請求項７】
前記トラックシートの裏面に一対の帯部を設け、
前記帯部に、複数の帯側鳩目を設けた
ことを特徴とする請求項１から請求項６のいずれか１項に記載のトラックシート開閉装置。
【請求項８】
前記レール上面に防雨カバーを取り付けた
ことを特徴とする請求項４に記載のトラックシート開閉装置。
【請求項９】
前記前端側鳩目を、カラビナを介して前記ランナーに取り付けた
ことを特徴とする請求項１から請求項８のいずれか１項に記載のトラックシート開閉装置。
【請求項１０】
運転席を有するキャビンと荷物を積載する荷台とを有し、前記キャビンと前記荷台との間には鳥居が配置され、前記荷台が後あおり及び一対の側あおりで囲まれる車両に用い、
前記キャビンのリア面又は前記鳥居にレール部材が取り付けられ、
前記レール部材を摺動する複数のランナーに取り付けるトラックシートであって、
前端部には、複数の前端側鳩目を設け、
前記前端側鳩目を、前記ランナーの取り付けに用い、
前記前端側鳩目に取り付けた前記ランナー間を離間させることで、荷台幅方向に展開して前記荷台を覆い、
前記前端側鳩目に取り付けた前記ランナー間を近接させることで、前記荷台幅方向の少なくとも一部を収束して前記荷台の少なくとも一方の側部を開放する
ことを特徴とするトラックシート。
【請求項１１】
運転席を有するキャビンと荷物を積載する荷台とを有し、前記キャビンと前記荷台との間には鳥居が配置され、前記荷台が後あおり及び一対の側あおりで囲まれる車両に用い、
前記キャビンのリア面又は前記鳥居にレール部材が取り付けられ、
前記レール部材を摺動する複数のランナーに取り付けるトラックシートであって、
前端部には、前記ランナーの取り付けに用いる複数の前端側鳩目を設け、
後端部には、バンド止めに用いる複数の後端側鳩目を設け、
両側部には、それぞれシート側辺部を有し、
前記シート側辺部は、側辺前端部を側辺後端部よりも長くした
ことを特徴とするトラックシート。
【請求項１２】
裏面に一対の帯部を設け、
前記帯部に、複数の帯側鳩目を設けた
ことを特徴とする請求項１０又は請求項１１に記載のトラックシート。
【発明の詳細な説明】
【技術分野】
【０００１】
本発明は、運転席を有するキャビンと荷物を積載する荷台とを有し、キャビンと荷台との間には鳥居が配置され、荷台が後あおり及び一対の側あおりで囲まれる車両に用いるトラックシート開閉装置及びトラックシートに関する。
【背景技術】
【０００２】
トラックシートの荷台での展開作業、トラックシートの荷台からの取り外し作業、及び取り外したトラックシートの折り畳み作業を一人で行うのは容易でない。
特許文献１、特許文献２、及び特許文献３は、このような作業を一人ででも簡単に行えるように、トラックシートを巻き取る巻き取り装置を提案している。
特許文献４、特許文献５、及び特許文献６は、雨水の浸入防止を目的とするものであるが、トラックシートの前端部を鳥居に取り付ける構造を提案している。
【先行技術文献】
【特許文献】
【０００３】
【特許文献１】特開昭５４−９５４１５号公報
【特許文献２】特開平７−２１５１２７号公報
【特許文献３】実用新案登録第３１１６３２９号公報
【特許文献４】特開２０１４−２０１２７４号公報
【特許文献５】特許第５３１１１６３号公報
【特許文献６】実用新案登録第３１８００００号公報
【発明の概要】
【発明が解決しようとする課題】
【０００４】
しかし、特許文献１から特許文献３で開示されているような巻き取り装置では、装置が大がかりになり、荷台の積載にも影響を与えてしまう。
また、特許文献１から特許文献６で開示されている装置では、荷台の一方の側部、特に荷台の前方側部に荷物を積載する場合では、トラックシートを鳥居側に巻き取り若しくは折り畳み、又はトラックシートを荷台から取り外す必要が生じてしまう。
【０００５】
そこで本発明は、荷台幅方向への展開と収束を一人で行うことができるトラックシート開閉装置及びトラックシートを提供することを目的とする。
【課題を解決するための手段】
【０００６】
請求項１記載の本発明のトラックシート開閉装置は、運転席を有するキャビン１と荷物を積載する荷台２とを有し、前記キャビン１と前記荷台２との間には鳥居３が配置され、前記荷台２が後あおり４ａ及び一対の側あおり４ｂで囲まれる車両に用いるトラックシート開閉装置であって、前記キャビン１のリア面又は前記鳥居３に取り付けるレール部材１０と、前記レール部材１０を摺動する複数のランナー２０と、前記荷台２を覆うトラックシート３０とを備え、前記トラックシート３０の前端部３０Ｆには、複数の前端側鳩目３１を設け、前記前端側鳩目３１を、前記ランナー２０の取り付けに用い、前記前端側鳩目３１に取り付けた前記ランナー２０間を離間させることで、前記トラックシート３０を荷台２幅方向に展開して前記荷台２を前記トラックシート３０で覆い、前記前端側鳩目３１に取り付けた前記ランナー２０間を近接させることで、前記トラックシート３０の前記荷台２幅方向の少なくとも一部を収束して前記荷台２の少なくとも一方の側部から前記トラックシート３０を除くことを特徴とする。
請求項２記載の本発明は、請求項１に記載のトラックシート開閉装置において、前記前端側鳩目３１に取り付けた全ての前記ランナー２０を、前記レール部材１０の一方に近接させることで、前記トラックシート３０を前記荷台２の前記側部に収束し、収束させた前記トラックシート３０を、巻回又は折り畳むことで前記荷台２の前部位置に収容することを特徴とする。
請求項３記載の本発明は、請求項１又は請求項２に記載のトラックシート開閉装置において、前記レール部材１０の端部には、前記ランナー２０の移動を規制するストッパー４０を有し、前記ストッパー４０を取り外すことで、前記ランナー２０を前記レール部材１０から取り外すことを特徴とする。
請求項４記載の本発明は、請求項１から請求項３のいずれか１項に記載のトラックシート開閉装置において、前記レール部材１０を、長手方向に溝１２を形成したレールリア面１３と、前記レールリア面１３と対向するレールフロント面１４と、前記レールリア面１３のリア面上端と前記レールフロント面１４のフロント面上端とをつなぐレール上面１１と、前記レールリア面１３のリア面下端と前記レールフロント面１４のフロント面下端とをつなぐレール下面１５とで筒状に形成したことを特徴とする。
請求項５記載の本発明は、請求項１から請求項４のいずれか１項に記載のトラックシート開閉装置において、前記トラックシート３０の後端部３０Ｒには、複数の後端側鳩目３２を設け、前記後端側鳩目３２を、前記荷台２に前記トラックシート３０を取り付けるバンド７０止めに用いることを特徴とする。
請求項６記載の本発明は、請求項１から請求項５のいずれか１項に記載のトラックシート開閉装置において、前記トラックシート３０の両側部には、それぞれシート側辺部３０Ｓを有し、前記レール部材１０を前記後あおり４ａの上端よりも高い位置に設置し、前記シート側辺部３０Ｓは、側辺前端部３０ＳＦを側辺後端部３０ＳＲよりも長くしたことを特徴とする。
請求項７記載の本発明は、請求項１から請求項６のいずれか１項に記載のトラックシート開閉装置において、前記トラックシート３０の裏面に一対の帯部３５を設け、前記帯部３５に、複数の帯側鳩目３６を設けたことを特徴とする。
請求項８記載の本発明は、請求項４に記載のトラックシート開閉装置において、前記レール上面１１に防雨カバー６０を取り付けたことを特徴とする。
請求項９記載の本発明は、請求項１から請求項８のいずれか１項に記載のトラックシート開閉装置において、前記前端側鳩目３１を、カラビナ５０を介して前記ランナー２０に取り付けたことを特徴とする。
請求項１０記載の本発明のトラックシート３０は、運転席を有するキャビン１と荷物を積載する荷台２とを有し、前記キャビン１と前記荷台２との間には鳥居３が配置され、前記荷台２が後あおり４ａ及び一対の側あおり４ｂで囲まれる車両に用い、前記キャビン１のリア面又は前記鳥居３にレール部材１０が取り付けられ、前記レール部材１０を摺動する複数のランナー２０に取り付けるトラックシート３０であって、前端部３０Ｆには、複数の前端側鳩目３１を設け、前記前端側鳩目３１を、前記ランナー２０の取り付けに用い、前記前端側鳩目３１に取り付けた前記ランナー２０間を離間させることで、荷台２幅方向に展開して前記荷台２を覆い、前記前端側鳩目３１に取り付けた前記ランナー２０間を近接させることで、前記荷台２幅方向の少なくとも一部を収束して前記荷台２の少なくとも一方の側部を開放することを特徴とする。
請求項１１記載の本発明のトラックシート３０は、運転席を有するキャビン１と荷物を積載する荷台２とを有し、前記キャビン１と前記荷台２との間には鳥居３が配置され、前記荷台２が後あおり４ａ及び一対の側あおり４ｂで囲まれる車両に用い、前記キャビン１のリア面又は前記鳥居３にレール部材１０が取り付けられ、前記レール部材１０を摺動する複数のランナー２０に取り付けるトラックシート３０であって、前端部３０Ｆには、前記ランナー２０の取り付けに用いる複数の前端側鳩目３１を設け、後端部３０Ｒには、バンド７０止めに用いる複数の後端側鳩目３２を設け、両側部には、それぞれシート側辺部３０Ｓを有し、前記シート側辺部３０Ｓは、側辺前端部３０ＳＦを側辺後端部３０ＳＲよりも長くしたことを特徴とする。
請求項１２記載の本発明は、請求項１０又は請求項１１に記載のトラックシート３０において、裏面に一対の帯部３５を設け、前記帯部３５に、複数の帯側鳩目３６を設けたことを特徴とする。
【発明の効果】
【０００７】
本発明によれば、トラックシートを荷台後方から引っ張った状態で、トラックシートを展開又は収束させることができ、荷台をトラックシートで覆う作業や、荷台の少なくとも一方の側部からトラックシートを除く作業を一人で容易に行うことができる。
【図面の簡単な説明】
【０００８】
【図１】本発明の一実施例によるトラックシート開閉装置を示す外観写真
【図２】本実施例によるトラックシート開閉装置を示す要部外観写真
【図３】本実施例によるトラックシート開閉装置のレール部材の端部周辺を示す要部外観写真
【図４】本実施例によるトラックシートを示す外観写真
【図５】本実施例によるトラックシート開閉装置の使用態様を示す外観写真
【図６】本実施例によるトラックシートの収容態様を示す外観写真
【図７】本実施例によるトラックシートの使用態様を示す外観写真
【発明を実施するための形態】
【０００９】
本発明の第１の実施の形態によるトラックシート開閉装置は、キャビンのリア面又は鳥居に取り付けるレール部材と、レール部材を摺動する複数のランナーと、荷台を覆うトラックシートとを備え、トラックシートの前端部には、複数の前端側鳩目を設け、前端側鳩目を、ランナーの取り付けに用い、前端側鳩目に取り付けたランナー間を離間させることで、トラックシートを荷台幅方向に展開して荷台をトラックシートで覆い、前端側鳩目に取り付けたランナー間を近接させることで、トラックシートの荷台幅方向の少なくとも一部を収束して荷台の少なくとも一方の側部からトラックシートを除くものである。本実施の形態によれば、トラックシートを荷台後方から引っ張った状態で、トラックシートを展開又は収束させることができ、荷台をトラックシートで覆う作業や、荷台の少なくとも一方の側部からトラックシートを除く作業を一人で容易に行うことができる。
【００１０】
本発明の第２の実施の形態は、第１の実施の形態によるトラックシート開閉装置において、前端側鳩目に取り付けた全てのランナーを、レール部材の一方に近接させることで、トラックシートを荷台の側部に収束し、収束させたトラックシートを、巻回又は折り畳むことで荷台の前部位置に収容するものである。本実施の形態によれば、トラックシートを荷台の前部位置に収容する作業を一人で容易に行うことができる。
【００１１】
本発明の第３の実施の形態は、第１又は第２の実施の形態によるトラックシート開閉装置において、レール部材の端部には、ランナーの移動を規制するストッパーを有し、ストッパーを取り外すことで、ランナーをレール部材から取り外すものである。本実施の形態によれば、トラックシートの車両からの取り外し作業を一人で容易に行うことができる。
【００１２】
本発明の第４の実施の形態は、第１から第３のいずれかの実施の形態によるトラックシート開閉装置において、レール部材を、長手方向に溝を形成したレールリア面と、レールリア面と対向するレールフロント面と、レールリア面のリア面上端とレールフロント面のフロント面上端とをつなぐレール上面と、レールリア面のリア面下端とレールフロント面のフロント面下端とをつなぐレール下面とで筒状に形成したものである。本実施の形態によれば、レールリア面に溝を形成しているため、トラックシートを荷台後方から引っ張った状態で、ランナー間の離間又は近接をスムーズに行わせることができる。
【００１３】
本発明の第５の実施の形態は、第１から第４のいずれかの実施の形態によるトラックシート開閉装置において、トラックシートの後端部には、複数の後端側鳩目を設け、後端側鳩目を、荷台にトラックシートを取り付けるバンド止めに用いるものである。本実施の形態によれば、車両の前後方向に引っ張った状態にあるトラックシートで荷台を覆うことで、積載する荷物を保護できるとともに、デザイン性に優れ、トラックシート表面に広告情報を表示した場合には見栄え良く広告情報を見せることができる。
【００１４】
本発明の第６の実施の形態は、第１から第５のいずれかの実施の形態によるトラックシート開閉装置において、トラックシートの両側部には、それぞれシート側辺部を有し、レール部材を後あおりの上端よりも高い位置に設置し、シート側辺部は、側辺前端部を側辺後端部よりも長くしたものである。本実施の形態によれば、側あおりの上方をトラックシートで覆うことができるとともに、シート側辺部の下端を水平にできるため、デザイン性に優れて見栄えが良い。
【００１５】
本発明の第７の実施の形態は、第１から第６のいずれかの実施の形態によるトラックシート開閉装置において、トラックシートの裏面に一対の帯部を設け、帯部に、複数の帯側鳩目を設けたものである。本実施の形態によれば、積載する荷物が側あおりより高い場合に、帯側鳩目を、荷台にトラックシートを取り付けるバンド止めに用いることで、荷物の固定を行えるとともに、防雨効果も高い。
【００１６】
本発明の第８の実施の形態は、第４の実施の形態によるトラックシート開閉装置において、レール上面に防雨カバーを取り付けたものである。本実施の形態によれば、レール部材やランナーを雨水から守ることができる。
【００１７】
本発明の第９の実施の形態は、第１から第８のいずれかの実施の形態によるトラックシート開閉装置において、前端側鳩目を、カラビナを介してランナーに取り付けたものである。本実施の形態によれば、トラックシートの取り外しをカラビナで行うことができる。
【００１８】
本発明の第１０の実施の形態によるトラックシートは、前端部には、複数の前端側鳩目を設け、前端側鳩目を、ランナーの取り付けに用い、前端側鳩目に取り付けたランナー間を離間させることで、荷台幅方向に展開して荷台を覆い、前端側鳩目に取り付けたランナー間を近接させることで、荷台幅方向の少なくとも一部を収束して荷台の少なくとも一方の側部を開放するものである。本実施の形態によれば、トラックシートを荷台後方から引っ張った状態で、トラックシートを展開又は収束させることができ、荷台をトラックシートで覆う作業や、荷台の少なくとも一方の側部からトラックシートを除く作業を一人で容易に行うことができる。
【００１９】
本発明の第１１の実施の形態によるトラックシートは、前端部には、ランナーの取り付けに用いる複数の前端側鳩目を設け、後端部には、バンド止めに用いる複数の後端側鳩目を設け、両側部には、それぞれシート側辺部を有し、シート側辺部は、側辺前端部を側辺後端部よりも長くしたものである。本実施の形態によれば、車両の前後方向に引っ張った状態にあるトラックシートで荷台を覆うことで、積載する荷物を保護できるとともに、デザイン性に優れ、トラックシート表面に広告情報を表示した場合には見栄え良く広告情報を見せることができる。また本実施の形態によれば、側あおりの上方をトラックシートで覆うことができるとともに、シート側辺部の下端を水平にできるため、デザイン性に優れて見栄えが良い。
【００２０】
本発明の第１２の実施の形態は、第１０又は第１１の実施の形態によるトラックシートにおいて、裏面に一対の帯部を設け、帯部に、複数の帯側鳩目を設けたものである。本実施の形態によれば、積載する荷物が側あおりより高い場合に、帯側鳩目を、荷台にトラックシートを取り付けるバンド止めに用いることで、荷物の固定を行えるとともに、防雨効果も高い。
【実施例】
【００２１】
以下本発明の一実施例によるトラックシート開閉装置について説明する。
図１は本実施例によるトラックシート開閉装置を示す外観写真である。
本実施例によるトラックシート開閉装置は、運転席を有するキャビン１と荷物を積載する荷台２とを有し、キャビン１と荷台２との間には鳥居３が配置され、荷台２が後あおり４ａ及び一対の側あおり４ｂで囲まれる車両に用いる。
【００２２】
図２は本実施例によるトラックシート開閉装置を示す要部外観写真である。
トラックシート開閉装置は、キャビン１のリア面又は鳥居３に取り付けるレール部材１０と、レール部材１０を摺動する複数のランナー２０と、荷台２を覆うトラックシート３０とを備えている。
レール部材１０の少なくとも一方の端部には、ランナー２０の移動を規制するストッパー４０を有している。
トラックシート３０の前端部３０Ｆには、複数の前端側鳩目３１を設け、前端側鳩目３１を、ランナー２０の取り付けに用いる。本実施例では、前端側鳩目３１を、カラビナ５０を介してランナー２０に取り付けることで、カラビナ５０を用いてトラックシート３０の取り外しを行うことができる。
レール上面１１には、防雨カバー６０を取り付けている。防雨カバー６０は、レール部材１０とほぼ同一の長さを有し、レール部材１０、ランナー２０、及びトラックシート３０の前端部３０Ｆを覆い、レール部材１０やランナー２０を雨水から守るとともに、トラックシート３０の前端部３０Ｆから荷台２への雨水の浸入を防いでいる。
【００２３】
図３は本実施例によるトラックシート開閉装置のレール部材の端部周辺を示す要部外観写真である。
レール部材１０は、長手方向に溝１２を形成したレールリア面１３と、レールリア面１３と対向するレールフロント面１４と、レールリア面１３のリア面上端とレールフロント面１４のフロント面上端とをつなぐレール上面１１と、レールリア面１３のリア面下端とレールフロント面１４のフロント面下端とをつなぐレール下面１５とで筒状に形成している。
図３（ｂ）は、ストッパー４０をレール部材１０から取り外した状態を示しており、ストッパー４０を取り外すことで、ランナー２０をレール部材１０の端部から取り外すことができる。このように、ランナー２０をレール部材１０の端部から取り外すことで、トラックシート３０の車両からの取り外し作業を一人で容易に行うことができる。
【００２４】
図４は本実施例によるトラックシートを示す外観写真であり、図４（ａ）はトラックシートの表面、図４（ｂ）はトラックシートの裏面である。
トラックシート３０は、前端部３０Ｆには、ランナー２０の取り付けに用いる複数の前端側鳩目３１を設け、後端部３０Ｒには、バンド７０止めに用いる複数の後端側鳩目３２を設け、両側部には、それぞれシート側辺部３０Ｓを有している。
シート側辺部３０Ｓは、側辺前端部３０ＳＦを側辺後端部３０ＳＲよりも長くしている。図１及び図２に示すように、レール部材１０を後あおり４ａの上端よりも高い位置に設置し、シート側辺部３０Ｓの側辺前端部３０ＳＦを側辺後端部３０ＳＲよりも長くすることで、側あおり４ｂの上方をトラックシート３０で覆うことができるとともに、シート側辺部３０Ｓの下端を水平にできるため、デザイン性に優れて見栄えが良い。
それぞれのシート側辺部３０Ｓには、耳部３３を有している。耳部３３は、側辺前端部３０ＳＦから延出している。それぞれの耳部３３は、トラックシート３０の前端部３０Ｆの両側に位置する。
また、それぞれのシート側辺部３０Ｓには、バンド７０止めに用いる複数の側端側鳩目３４ａ、３４ｂ、３４ｃを有している。側端側鳩目３４ａは、側辺前端部３０ＳＦと側辺側端部３０ＳＳとが交わるコーナーに有し、側端側鳩目３４ｂは、側辺後端部３０ＳＲと側辺側端部３０ＳＳとが交わるコーナーに有している。側端側鳩目３４ｃは、側辺側端部３０ＳＳの中間点よりも前方、すなわち側辺側端部３０ＳＳの中間点よりも側辺前端部３０ＳＦ側に配置している。側端側鳩目３４ｃは、側辺側端部３０ＳＳの中間点よりも後方、すなわち側辺側端部３０ＳＳの中間点よりも側辺後端部３０ＳＲ側には配置しないことが好ましい。
図４（ｂ）に示すように、トラックシート３０の裏面には一対の帯部３５を設け、帯部３５には、複数の帯側鳩目３６を設けている。
【００２５】
図５は本実施例によるトラックシート開閉装置の使用態様を示す外観写真である。
前端側鳩目３１に取り付けたランナー２０間を近接させることで、トラックシート３０の荷台２幅方向の少なくとも一部を収束して荷台２の少なくとも一方の側部からトラックシート３０を除くことができる。
図５（ａ）は、トラックシート３０を運転席側後方の荷台２側に収束することで、助手席側後方の荷台２側からトラックシート３０を除いた状態を示し、図５（ｂ）は、トラックシート３０を助手席側後方の荷台２側に収束することで、運転席側後方の荷台２側からトラックシート３０を除いた状態を示している。このように、荷台２の少なくとも一方の側部からトラックシート３０を除くことで、トラックシート３０を除いた側の荷台２での荷物の積み卸し作業を行うことができる。
図５（ａ）に示すように、トラックシート３０を荷台２の後方から引っ張った状態で、トラックシート３０を展開又は収束させることができ、荷台２をトラックシート３０で覆う作業や、荷台２の少なくとも一方の側部からトラックシート３０を除く作業を一人で容易に行うことができる。なお、図３に示すように、レールリア面１３に溝１２を形成しているため、トラックシート３０を荷台２の後方から引っ張った状態で、ランナー２０間の離間又は近接をスムーズに行わせることができる。
【００２６】
なお、前端側鳩目３１に取り付けたランナー２０間を離間させることで、図１に示すように、トラックシート３０を荷台２幅方向に展開して荷台２をトラックシート３０で覆うことができる。車両の前後方向に引っ張った状態にあるトラックシート３０で荷台２を覆うことで、積載する荷物を保護できるとともに、デザイン性に優れ、トラックシート３０の表面に広告情報を表示した場合には見栄え良く広告情報を見せることができる。
【００２７】
図６は本実施例によるトラックシートの収容態様を示す外観写真である。
図５（ｂ）に示すように、前端側鳩目３１に取り付けた全てのランナー２０を、レール部材１０の一方に近接させることで、トラックシート３０を荷台２の側部に収束した後に、収束させたトラックシート３０を、図６（ａ）に示すように、巻回又は折り畳むことで荷台２の前部位置に収容することができる。このように、トラックシート３０を荷台２の前部位置に収容する作業を一人で容易に行うことができる。
図６（ｂ）は他の収容状態を示している。
トラックシート３０を荷台２の後方から引っ張って前端側鳩目３１に取り付けたランナー２０間を離間させることでトラックシート３０を荷台２幅方向に展開し、展開状態にあるトラックシート３０を、巻回又は折り畳むことで荷台２の前部位置に収容することができる。
【００２８】
図７は本実施例によるトラックシートの使用態様を示す外観写真である。
図７では、積載する荷物が側あおり４ｂより高い場合には、帯側鳩目３６を、荷台２にトラックシート３０を取り付けるバンド７０止めに用いることで、荷物の固定を行えるとともに、防雨効果も高い。
図７（ａ）に示すように、帯側鳩目３６に取り付けたバンド７０を用いてトラックシート３０を荷台２に取り付け、その後に、図７（ｂ）に示すように、側端側鳩目３４ａ、３４ｂ、３４ｃに取り付けたバンド７０を用いてトラックシート３０を荷台２に取り付ける。
このように、積載する荷物が側あおり４ｂより高い場合に、帯側鳩目３６を、荷台２にトラックシート３０を取り付けるバンド７０止めに用いることで、荷物の固定を行えるとともに、防雨効果も高い。
【００２９】
以上のように本実施例によれば、トラックシート３０を荷台２後方から引っ張った状態で、トラックシート３０を展開又は収束させることができ、荷台２をトラックシート３０で覆う作業や、荷台２の少なくとも一方の側部からトラックシート３０を除く作業を一人で容易に行うことができる。
また、本実施例によれば、車両の前後方向に引っ張った状態にあるトラックシート３０で荷台２を覆うことで、積載する荷物を保護できるとともに、デザイン性に優れ、トラックシート３０の表面に広告情報を表示した場合には見栄え良く広告情報を見せることができる。
【産業上の利用可能性】
【００３０】
本実施例によるトラックシート開閉装置及びトラックシートは、荷台の側面があおりで覆われている、いわゆる平ボディの車両に用いるが、１．５トン〜２トンの車両に特に適しており、トラックシートを車両に常設することも可能であり、一人でもトラックシートの開閉操作ができることから省力化と作業性向上を図ることができる。
【符号の説明】
【００３１】
１  キャビン
２  荷台
３  鳥居
４ａ  後あおり
４ｂ  側あおり
１０  レール部材
１１  レール上面
１２  溝
１３  レールリア面
１４  レールフロント面
１５  レール下面
２０  ランナー
３０  トラックシート
３０Ｆ  前端部
３０Ｒ  後端部
３０Ｓ  シート側辺部
３０ＳＦ  側辺前端部
３０ＳＲ  側辺後端部
３０ＳＳ  側辺側端部
３１  前端側鳩目
３２  後端側鳩目
３３  耳部
３４ａ、３４ｂ、３４ｃ  側端側鳩目
３５  帯部
３６  帯側鳩目
４０  ストッパー
５０  カラビナ
６０  防雨カバー
７０  バンド
【図１】
2020044978.tif 000003
【図２】
2020044978.tif 000004
【図３】
2020044978.tif 000005
【図４】
2020044978.tif 000006
【図５】
2020044978.tif 000007
【図６】
2020044978.tif 000008
【図７】
2020044978.tif 000009
【手続補正書】
【提出日】令和1年12月20日(2019.12.20)
【手続補正１】
【補正対象書類名】明細書
【補正対象項目名】全文
【補正方法】変更
【補正の内容】
【発明の詳細な説明】
【技術分野】
【０００１】
本発明は、運転席を有するキャビンと荷物を積載する荷台とを有し、キャビンと荷台との間には鳥居が配置され、荷台が後あおり及び一対の側あおりで囲まれる車両に用いるトラックシート開閉装置及びトラックシートに関する。
【背景技術】
【０００２】
トラックシートの荷台での展開作業、トラックシートの荷台からの取り外し作業、及び取り外したトラックシートの折り畳み作業を一人で行うのは容易でない。
特許文献１、特許文献２、及び特許文献３は、このような作業を一人ででも簡単に行えるように、トラックシートを巻き取る巻き取り装置を提案している。
特許文献４、特許文献５、及び特許文献６は、雨水の浸入防止を目的とするものであるが、トラックシートの前端部を鳥居に取り付ける構造を提案している。
【先行技術文献】
【特許文献】
【０００３】
【特許文献１】特開昭５４−９５４１５号公報
【特許文献２】特開平７−２１５１２７号公報
【特許文献３】実用新案登録第３１１６３２９号公報
【特許文献４】特開２０１４−２０１２７４号公報
【特許文献５】特許第５３１１１６３号公報
【特許文献６】実用新案登録第３１８００００号公報
【発明の概要】
【発明が解決しようとする課題】
【０００４】
しかし、特許文献１から特許文献３で開示されているような巻き取り装置では、装置が大がかりになり、荷台の積載にも影響を与えてしまう。
また、特許文献１から特許文献６で開示されている装置では、荷台の一方の側部、特に荷台の前方側部に荷物を積載する場合では、トラックシートを鳥居側に巻き取り若しくは折り畳み、又はトラックシートを荷台から取り外す必要が生じてしまう。
【０００５】
そこで本発明は、荷台幅方向への展開と収束を一人で行うことができるトラックシート開閉装置及びトラックシートを提供することを目的とする。
【課題を解決するための手段】
【０００６】
請求項１記載の本発明のトラックシート開閉装置は、運転席を有するキャビン１と荷物を積載する荷台２とを有し、前記キャビン１と前記荷台２との間には鳥居３が配置され、前記荷台２が後あおり４ａ及び一対の側あおり４ｂで囲まれる車両に用いるトラックシート開閉装置であって、前記キャビン１のリア面又は前記鳥居３に取り付けるレール部材１０と、前記レール部材１０を摺動する複数のランナー２０と、前記荷台２を覆うトラックシート３０とを備え、前記トラックシート３０の前端部３０Ｆには、複数の前端側鳩目３１を設け、前記前端側鳩目３１を、前記ランナー２０の取り付けに用い、前記前端側鳩目３１に取り付けた前記ランナー２０間を離間させることで、前記トラックシート３０を荷台２幅方向に展開して前記荷台２を前記トラックシート３０で覆い、前記前端側鳩目３１に取り付けた前記ランナー２０間を近接させることで、前記トラックシート３０の前記荷台２幅方向の少なくとも一部を収束して前記荷台２の少なくとも一方の側部から前記トラックシート３０を除き、前記前端側鳩目３１に取り付けた全ての前記ランナー２０を、前記レール部材１０の一方に近接させることで、前記トラックシート３０を前記荷台２の前記側部に収束し、収束させた前記トラックシート３０を、巻回又は折り畳むことで前記荷台２の前部位置に収容することを特徴とする。
請求項２記載の本発明のトラックシート開閉装置は、運転席を有するキャビン１と荷物を積載する荷台２とを有し、前記キャビン１と前記荷台２との間には鳥居３が配置され、前記荷台２が後あおり４ａ及び一対の側あおり４ｂで囲まれる車両に用いるトラックシート開閉装置であって、前記キャビン１のリア面又は前記鳥居３に取り付けるレール部材１０と、前記レール部材１０を摺動する複数のランナー２０と、前記荷台２を覆うトラックシート３０とを備え、前記トラックシート３０の前端部３０Ｆには、複数の前端側鳩目３１を設け、前記前端側鳩目３１を、前記ランナー２０の取り付けに用い、前記前端側鳩目３１に取り付けた前記ランナー２０間を離間させることで、前記トラックシート３０を荷台２幅方向に展開して前記荷台２を前記トラックシート３０で覆い、前記前端側鳩目３１に取り付けた前記ランナー２０間を近接させることで、前記トラックシート３０の前記荷台２幅方向の少なくとも一部を収束して前記荷台２の少なくとも一方の側部から前記トラックシート３０を除き、前記レール部材１０の端部には、前記ランナー２０の移動を規制するストッパー４０を有し、前記ストッパー４０を取り外すことで、前記ランナー２０を前記レール部材１０から取り外すことを特徴とする。
請求項３記載の本発明は、請求項１又は請求項２に記載のトラックシート開閉装置において、前記レール部材１０を、長手方向に溝１２を形成したレールリア面１３と、前記レールリア面１３と対向するレールフロント面１４と、前記レールリア面１３のリア面上端と前記レールフロント面１４のフロント面上端とをつなぐレール上面１１と、前記レールリア面１３のリア面下端と前記レールフロント面１４のフロント面下端とをつなぐレール下面１５とで筒状に形成したことを特徴とする。
請求項４記載の本発明のトラックシート開閉装置は、運転席を有するキャビン１と荷物を積載する荷台２とを有し、前記キャビン１と前記荷台２との間には鳥居３が配置され、前記荷台２が後あおり４ａ及び一対の側あおり４ｂで囲まれる車両に用いるトラックシート開閉装置であって、前記キャビン１のリア面又は前記鳥居３に取り付けるレール部材１０と、前記レール部材１０を摺動する複数のランナー２０と、前記荷台２を覆うトラックシート３０とを備え、前記トラックシート３０の前端部３０Ｆには、複数の前端側鳩目３１を設け、前記前端側鳩目３１を、前記ランナー２０の取り付けに用い、前記前端側鳩目３１に取り付けた前記ランナー２０間を離間させることで、前記トラックシート３０を荷台２幅方向に展開して前記荷台２を前記トラックシート３０で覆い、前記前端側鳩目３１に取り付けた前記ランナー２０間を近接させることで、前記トラックシート３０の前記荷台２幅方向の少なくとも一部を収束して前記荷台２の少なくとも一方の側部から前記トラックシート３０を除き、前記トラックシート３０の後端部３０Ｒには、複数の後端側鳩目３２を設け、前記後端側鳩目３２を、前記荷台２に前記トラックシート３０を取り付けるバンド７０止めに用いることを特徴とする。
請求項５記載の本発明は、請求項１から請求項４のいずれか１項に記載のトラックシート開閉装置において、前記トラックシート３０の両側部には、それぞれシート側辺部３０Ｓを有し、前記レール部材１０を前記後あおり４ａの上端よりも高い位置に設置し、前記シート側辺部３０Ｓは、側辺前端部３０ＳＦを側辺後端部３０ＳＲよりも長くしたことを特徴とする。
請求項６記載の本発明のトラックシート開閉装置は、運転席を有するキャビン１と荷物を積載する荷台２とを有し、前記キャビン１と前記荷台２との間には鳥居３が配置され、前記荷台２が後あおり４ａ及び一対の側あおり４ｂで囲まれる車両に用いるトラックシート開閉装置であって、前記キャビン１のリア面又は前記鳥居３に取り付けるレール部材１０と、前記レール部材１０を摺動する複数のランナー２０と、前記荷台２を覆うトラックシート３０とを備え、前記トラックシート３０の前端部３０Ｆには、複数の前端側鳩目３１を設け、前記前端側鳩目３１を、前記ランナー２０の取り付けに用い、前記前端側鳩目３１に取り付けた前記ランナー２０間を離間させることで、前記トラックシート３０を荷台２幅方向に展開して前記荷台２を前記トラックシート３０で覆い、前記前端側鳩目３１に取り付けた前記ランナー２０間を近接させることで、前記トラックシート３０の前記荷台２幅方向の少なくとも一部を収束して前記荷台２の少なくとも一方の側部から前記トラックシート３０を除き、前記トラックシート３０の裏面に一対の帯部３５を設け、前記帯部３５に、複数の帯側鳩目３６を設けたことを特徴とする。
請求項７記載の本発明は、請求項３に記載のトラックシート開閉装置において、前記レール上面１１に防雨カバー６０を取り付けたことを特徴とする。
請求項８記載の本発明は、請求項１から請求項７のいずれか１項に記載のトラックシート開閉装置において、前記前端側鳩目３１を、カラビナ５０を介して前記ランナー２０に取り付けたことを特徴とする。
請求項９記載の本発明のトラックシート３０は、運転席を有するキャビン１と荷物を積載する荷台２とを有し、前記キャビン１と前記荷台２との間には鳥居３が配置され、前記荷台２が後あおり４ａ及び一対の側あおり４ｂで囲まれる車両に用い、前記キャビン１のリア面又は前記鳥居３にレール部材１０が取り付けられ、前記レール部材１０を摺動する複数のランナー２０に取り付けるトラックシート３０であって、前端部３０Ｆには、複数の前端側鳩目３１を設け、前記前端側鳩目３１を、前記ランナー２０の取り付けに用い、前記前端側鳩目３１に取り付けた前記ランナー２０間を離間させることで、荷台２幅方向に展開して前記荷台２を覆い、前記前端側鳩目３１に取り付けた前記ランナー２０間を近接させることで、前記荷台２幅方向の少なくとも一部を収束して前記荷台２の少なくとも一方の側部を開放し、裏面に一対の帯部３５を設け、前記帯部３５に、複数の帯側鳩目３６を設けたことを特徴とする。
請求項１０記載の本発明のトラックシート３０は、運転席を有するキャビン１と荷物を積載する荷台２とを有し、前記キャビン１と前記荷台２との間には鳥居３が配置され、前記荷台２が後あおり４ａ及び一対の側あおり４ｂで囲まれる車両に用い、前記キャビン１のリア面又は前記鳥居３にレール部材１０が取り付けられ、前記レール部材１０を摺動する複数のランナー２０に取り付けるトラックシート３０であって、前端部３０Ｆには、前記ランナー２０の取り付けに用いる複数の前端側鳩目３１を設け、後端部３０Ｒには、バンド７０止めに用いる複数の後端側鳩目３２を設け、両側部には、それぞれシート側辺部３０Ｓを有し、前記シート側辺部３０Ｓは、側辺前端部３０ＳＦを側辺後端部３０ＳＲよりも長くし、裏面に一対の帯部３５を設け、前記帯部３５に、複数の帯側鳩目３６を設けたことを特徴とする。
【発明の効果】
【０００７】
本発明によれば、トラックシートを荷台後方から引っ張った状態で、トラックシートを展開又は収束させることができ、荷台をトラックシートで覆う作業や、荷台の少なくとも一方の側部からトラックシートを除く作業を一人で容易に行うことができる。
【図面の簡単な説明】
【０００８】
【図１】本発明の一実施例によるトラックシート開閉装置を示す外観写真
【図２】本実施例によるトラックシート開閉装置を示す要部外観写真
【図３】本実施例によるトラックシート開閉装置のレール部材の端部周辺を示す要部外観写真
【図４】本実施例によるトラックシートを示す外観写真
【図５】本実施例によるトラックシート開閉装置の使用態様を示す外観写真
【図６】本実施例によるトラックシートの収容態様を示す外観写真
【図７】本実施例によるトラックシートの使用態様を示す外観写真
【発明を実施するための形態】
【０００９】
本発明の第１の実施の形態によるトラックシート開閉装置は、キャビンのリア面又は鳥居に取り付けるレール部材と、レール部材を摺動する複数のランナーと、荷台を覆うトラックシートとを備え、トラックシートの前端部には、複数の前端側鳩目を設け、前端側鳩目を、ランナーの取り付けに用い、前端側鳩目に取り付けたランナー間を離間させることで、トラックシートを荷台幅方向に展開して荷台をトラックシートで覆い、前端側鳩目に取り付けたランナー間を近接させることで、トラックシートの荷台幅方向の少なくとも一部を収束して荷台の少なくとも一方の側部からトラックシートを除き、前端側鳩目に取り付けた全てのランナーを、レール部材の一方に近接させることで、トラックシートを荷台の側部に収束し、収束させたトラックシートを、巻回又は折り畳むことで荷台の前部位置に収容するものである。本実施の形態によれば、トラックシートを荷台後方から引っ張った状態で、トラックシートを展開又は収束させることができ、荷台をトラックシートで覆う作業や、荷台の少なくとも一方の側部からトラックシートを除く作業を一人で容易に行うことができる。また、本実施の形態によれば、トラックシートを荷台の前部位置に収容する作業を一人で容易に行うことができる。
【００１０】
本発明の第２の実施の形態によるトラックシート開閉装置は、キャビンのリア面又は鳥居に取り付けるレール部材と、レール部材を摺動する複数のランナーと、荷台を覆うトラックシートとを備え、トラックシートの前端部には、複数の前端側鳩目を設け、前端側鳩目を、ランナーの取り付けに用い、前端側鳩目に取り付けたランナー間を離間させることで、トラックシートを荷台幅方向に展開して荷台をトラックシートで覆い、前端側鳩目に取り付けたランナー間を近接させることで、トラックシートの荷台幅方向の少なくとも一部を収束して荷台の少なくとも一方の側部からトラックシートを除き、レール部材の端部には、ランナーの移動を規制するストッパーを有し、ストッパーを取り外すことで、ランナーをレール部材から取り外すものである。本実施の形態によれば、トラックシートを荷台後方から引っ張った状態で、トラックシートを展開又は収束させることができ、荷台をトラックシートで覆う作業や、荷台の少なくとも一方の側部からトラックシートを除く作業を一人で容易に行うことができる。また、本実施の形態によれば、トラックシートの車両からの取り外し作業を一人で容易に行うことができる。
【００１１】
本発明の第３の実施の形態は、第１又は第２の実施の形態によるトラックシート開閉装置において、レール部材を、長手方向に溝を形成したレールリア面と、レールリア面と対向するレールフロント面と、レールリア面のリア面上端とレールフロント面のフロント面上端とをつなぐレール上面と、レールリア面のリア面下端とレールフロント面のフロント面下端とをつなぐレール下面とで筒状に形成したものである。本実施の形態によれば、レールリア面に溝を形成しているため、トラックシートを荷台後方から引っ張った状態で、ランナー間の離間又は近接をスムーズに行わせることができる。
【００１２】
本発明の第４の実施の形態によるトラックシート開閉装置は、キャビンのリア面又は鳥居に取り付けるレール部材と、レール部材を摺動する複数のランナーと、荷台を覆うトラックシートとを備え、トラックシートの前端部には、複数の前端側鳩目を設け、前端側鳩目を、ランナーの取り付けに用い、前端側鳩目に取り付けたランナー間を離間させることで、トラックシートを荷台幅方向に展開して荷台をトラックシートで覆い、前端側鳩目に取り付けたランナー間を近接させることで、トラックシートの荷台幅方向の少なくとも一部を収束して荷台の少なくとも一方の側部からトラックシートを除き、トラックシートの後端部には、複数の後端側鳩目を設け、後端側鳩目を、荷台にトラックシートを取り付けるバンド止めに用いるものである。本実施の形態によれば、トラックシートを荷台後方から引っ張った状態で、トラックシートを展開又は収束させることができ、荷台をトラックシートで覆う作業や、荷台の少なくとも一方の側部からトラックシートを除く作業を一人で容易に行うことができる。また、本実施の形態によれば、車両の前後方向に引っ張った状態にあるトラックシートで荷台を覆うことで、積載する荷物を保護できるとともに、デザイン性に優れ、トラックシート表面に広告情報を表示した場合には見栄え良く広告情報を見せることができる。
【００１３】
本発明の第５の実施の形態は、第１から第４のいずれかの実施の形態によるトラックシート開閉装置において、トラックシートの両側部には、それぞれシート側辺部を有し、レール部材を後あおりの上端よりも高い位置に設置し、シート側辺部は、側辺前端部を側辺後端部よりも長くしたものである。本実施の形態によれば、側あおりの上方をトラックシートで覆うことができるとともに、シート側辺部の下端を水平にできるため、デザイン性に優れて見栄えが良い。
【００１４】
本発明の第６の実施の形態によるトラックシート開閉装置は、キャビンのリア面又は鳥居に取り付けるレール部材と、レール部材を摺動する複数のランナーと、荷台を覆うトラックシートとを備え、トラックシートの前端部には、複数の前端側鳩目を設け、前端側鳩目を、ランナーの取り付けに用い、前端側鳩目に取り付けたランナー間を離間させることで、トラックシートを荷台幅方向に展開して荷台をトラックシートで覆い、前端側鳩目に取り付けたランナー間を近接させることで、トラックシートの荷台幅方向の少なくとも一部を収束して荷台の少なくとも一方の側部からトラックシートを除き、トラックシートの裏面に一対の帯部を設け、帯部に、複数の帯側鳩目を設けたものである。本実施の形態によれば、トラックシートを荷台後方から引っ張った状態で、トラックシートを展開又は収束させることができ、荷台をトラックシートで覆う作業や、荷台の少なくとも一方の側部からトラックシートを除く作業を一人で容易に行うことができる。また、本実施の形態によれば、積載する荷物が側あおりより高い場合に、帯側鳩目を、荷台にトラックシートを取り付けるバンド止めに用いることで、荷物の固定を行えるとともに、防雨効果も高い。
【００１５】
本発明の第７の実施の形態は、第３の実施の形態によるトラックシート開閉装置において、レール上面に防雨カバーを取り付けたものである。本実施の形態によれば、レール部材やランナーを雨水から守ることができる。
【００１６】
本発明の第８の実施の形態は、第１から第７のいずれかの実施の形態によるトラックシート開閉装置において、前端側鳩目を、カラビナを介してランナーに取り付けたものである。本実施の形態によれば、トラックシートの取り外しをカラビナで行うことができる。
【００１７】
本発明の第９の実施の形態によるトラックシートは、前端部には、複数の前端側鳩目を設け、前端側鳩目を、ランナーの取り付けに用い、前端側鳩目に取り付けたランナー間を離間させることで、荷台幅方向に展開して荷台を覆い、前端側鳩目に取り付けたランナー間を近接させることで、荷台幅方向の少なくとも一部を収束して荷台の少なくとも一方の側部を開放し、裏面に一対の帯部を設け、帯部に、複数の帯側鳩目を設けたものである。本実施の形態によれば、トラックシートを荷台後方から引っ張った状態で、トラックシートを展開又は収束させることができ、荷台をトラックシートで覆う作業や、荷台の少なくとも一方の側部からトラックシートを除く作業を一人で容易に行うことができる。また、本実施の形態によれば、積載する荷物が側あおりより高い場合に、帯側鳩目を、荷台にトラックシートを取り付けるバンド止めに用いることで、荷物の固定を行えるとともに、防雨効果も高い。
【００１８】
本発明の第１０の実施の形態によるトラックシートは、前端部には、ランナーの取り付けに用いる複数の前端側鳩目を設け、後端部には、バンド止めに用いる複数の後端側鳩目を設け、両側部には、それぞれシート側辺部を有し、シート側辺部は、側辺前端部を側辺後端部よりも長くし、裏面に一対の帯部を設け、帯部に、複数の帯側鳩目を設けたものである。本実施の形態によれば、車両の前後方向に引っ張った状態にあるトラックシートで荷台を覆うことで、積載する荷物を保護できるとともに、デザイン性に優れ、トラックシート表面に広告情報を表示した場合には見栄え良く広告情報を見せることができる。また本実施の形態によれば、側あおりの上方をトラックシートで覆うことができるとともに、シート側辺部の下端を水平にできるため、デザイン性に優れて見栄えが良い。また、本実施の形態によれば、積載する荷物が側あおりより高い場合に、帯側鳩目を、荷台にトラックシートを取り付けるバンド止めに用いることで、荷物の固定を行えるとともに、防雨効果も高い。
【実施例】
【００１９】
以下本発明の一実施例によるトラックシート開閉装置について説明する。
図１は本実施例によるトラックシート開閉装置を示す外観写真である。
本実施例によるトラックシート開閉装置は、運転席を有するキャビン１と荷物を積載する荷台２とを有し、キャビン１と荷台２との間には鳥居３が配置され、荷台２が後あおり４ａ及び一対の側あおり４ｂで囲まれる車両に用いる。
【００２０】
図２は本実施例によるトラックシート開閉装置を示す要部外観写真である。
トラックシート開閉装置は、キャビン１のリア面又は鳥居３に取り付けるレール部材１０と、レール部材１０を摺動する複数のランナー２０と、荷台２を覆うトラックシート３０とを備えている。
レール部材１０の少なくとも一方の端部には、ランナー２０の移動を規制するストッパー４０を有している。
トラックシート３０の前端部３０Ｆには、複数の前端側鳩目３１を設け、前端側鳩目３１を、ランナー２０の取り付けに用いる。本実施例では、前端側鳩目３１を、カラビナ５０を介してランナー２０に取り付けることで、カラビナ５０を用いてトラックシート３０の取り外しを行うことができる。
レール上面１１には、防雨カバー６０を取り付けている。防雨カバー６０は、レール部材１０とほぼ同一の長さを有し、レール部材１０、ランナー２０、及びトラックシート３０の前端部３０Ｆを覆い、レール部材１０やランナー２０を雨水から守るとともに、トラックシート３０の前端部３０Ｆから荷台２への雨水の浸入を防いでいる。
【００２１】
図３は本実施例によるトラックシート開閉装置のレール部材の端部周辺を示す要部外観写真である。
レール部材１０は、長手方向に溝１２を形成したレールリア面１３と、レールリア面１３と対向するレールフロント面１４と、レールリア面１３のリア面上端とレールフロント面１４のフロント面上端とをつなぐレール上面１１と、レールリア面１３のリア面下端とレールフロント面１４のフロント面下端とをつなぐレール下面１５とで筒状に形成している。
図３（ｂ）は、ストッパー４０をレール部材１０から取り外した状態を示しており、ストッパー４０を取り外すことで、ランナー２０をレール部材１０の端部から取り外すことができる。このように、ランナー２０をレール部材１０の端部から取り外すことで、トラックシート３０の車両からの取り外し作業を一人で容易に行うことができる。
【００２２】
図４は本実施例によるトラックシートを示す外観写真であり、図４（ａ）はトラックシートの表面、図４（ｂ）はトラックシートの裏面である。
トラックシート３０は、前端部３０Ｆには、ランナー２０の取り付けに用いる複数の前端側鳩目３１を設け、後端部３０Ｒには、バンド７０止めに用いる複数の後端側鳩目３２を設け、両側部には、それぞれシート側辺部３０Ｓを有している。
シート側辺部３０Ｓは、側辺前端部３０ＳＦを側辺後端部３０ＳＲよりも長くしている。図１及び図２に示すように、レール部材１０を後あおり４ａの上端よりも高い位置に設置し、シート側辺部３０Ｓの側辺前端部３０ＳＦを側辺後端部３０ＳＲよりも長くすることで、側あおり４ｂの上方をトラックシート３０で覆うことができるとともに、シート側辺部３０Ｓの下端を水平にできるため、デザイン性に優れて見栄えが良い。
それぞれのシート側辺部３０Ｓには、耳部３３を有している。耳部３３は、側辺前端部３０ＳＦから延出している。それぞれの耳部３３は、トラックシート３０の前端部３０Ｆの両側に位置する。
また、それぞれのシート側辺部３０Ｓには、バンド７０止めに用いる複数の側端側鳩目３４ａ、３４ｂ、３４ｃを有している。側端側鳩目３４ａは、側辺前端部３０ＳＦと側辺側端部３０ＳＳとが交わるコーナーに有し、側端側鳩目３４ｂは、側辺後端部３０ＳＲと側辺側端部３０ＳＳとが交わるコーナーに有している。側端側鳩目３４ｃは、側辺側端部３０ＳＳの中間点よりも前方、すなわち側辺側端部３０ＳＳの中間点よりも側辺前端部３０ＳＦ側に配置している。側端側鳩目３４ｃは、側辺側端部３０ＳＳの中間点よりも後方、すなわち側辺側端部３０ＳＳの中間点よりも側辺後端部３０ＳＲ側には配置しないことが好ましい。
図４（ｂ）に示すように、トラックシート３０の裏面には一対の帯部３５を設け、帯部３５には、複数の帯側鳩目３６を設けている。
【００２３】
図５は本実施例によるトラックシート開閉装置の使用態様を示す外観写真である。
前端側鳩目３１に取り付けたランナー２０間を近接させることで、トラックシート３０の荷台２幅方向の少なくとも一部を収束して荷台２の少なくとも一方の側部からトラックシート３０を除くことができる。
図５（ａ）は、トラックシート３０を運転席側後方の荷台２側に収束することで、助手席側後方の荷台２側からトラックシート３０を除いた状態を示し、図５（ｂ）は、トラックシート３０を助手席側後方の荷台２側に収束することで、運転席側後方の荷台２側からトラックシート３０を除いた状態を示している。このように、荷台２の少なくとも一方の側部からトラックシート３０を除くことで、トラックシート３０を除いた側の荷台２での荷物の積み卸し作業を行うことができる。
図５（ａ）に示すように、トラックシート３０を荷台２の後方から引っ張った状態で、トラックシート３０を展開又は収束させることができ、荷台２をトラックシート３０で覆う作業や、荷台２の少なくとも一方の側部からトラックシート３０を除く作業を一人で容易に行うことができる。なお、図３に示すように、レールリア面１３に溝１２を形成しているため、トラックシート３０を荷台２の後方から引っ張った状態で、ランナー２０間の離間又は近接をスムーズに行わせることができる。
【００２４】
なお、前端側鳩目３１に取り付けたランナー２０間を離間させることで、図１に示すように、トラックシート３０を荷台２幅方向に展開して荷台２をトラックシート３０で覆うことができる。車両の前後方向に引っ張った状態にあるトラックシート３０で荷台２を覆うことで、積載する荷物を保護できるとともに、デザイン性に優れ、トラックシート３０の表面に広告情報を表示した場合には見栄え良く広告情報を見せることができる。
【００２５】
図６は本実施例によるトラックシートの収容態様を示す外観写真である。
図５（ｂ）に示すように、前端側鳩目３１に取り付けた全てのランナー２０を、レール部材１０の一方に近接させることで、トラックシート３０を荷台２の側部に収束した後に、収束させたトラックシート３０を、図６（ａ）に示すように、巻回又は折り畳むことで荷台２の前部位置に収容することができる。このように、トラックシート３０を荷台２の前部位置に収容する作業を一人で容易に行うことができる。
図６（ｂ）は他の収容状態を示している。
トラックシート３０を荷台２の後方から引っ張って前端側鳩目３１に取り付けたランナー２０間を離間させることでトラックシート３０を荷台２幅方向に展開し、展開状態にあるトラックシート３０を、巻回又は折り畳むことで荷台２の前部位置に収容することができる。
【００２６】
図７は本実施例によるトラックシートの使用態様を示す外観写真である。
図７では、積載する荷物が側あおり４ｂより高い場合には、帯側鳩目３６を、荷台２にトラックシート３０を取り付けるバンド７０止めに用いることで、荷物の固定を行えるとともに、防雨効果も高い。
図７（ａ）に示すように、帯側鳩目３６に取り付けたバンド７０を用いてトラックシート３０を荷台２に取り付け、その後に、図７（ｂ）に示すように、側端側鳩目３４ａ、３４ｂ、３４ｃに取り付けたバンド７０を用いてトラックシート３０を荷台２に取り付ける。
このように、積載する荷物が側あおり４ｂより高い場合に、帯側鳩目３６を、荷台２にトラックシート３０を取り付けるバンド７０止めに用いることで、荷物の固定を行えるとともに、防雨効果も高い。
【００２７】
以上のように本実施例によれば、トラックシート３０を荷台２後方から引っ張った状態で、トラックシート３０を展開又は収束させることができ、荷台２をトラックシート３０で覆う作業や、荷台２の少なくとも一方の側部からトラックシート３０を除く作業を一人で容易に行うことができる。
また、本実施例によれば、車両の前後方向に引っ張った状態にあるトラックシート３０で荷台２を覆うことで、積載する荷物を保護できるとともに、デザイン性に優れ、トラックシート３０の表面に広告情報を表示した場合には見栄え良く広告情報を見せることができる。
【産業上の利用可能性】
【００２８】
本実施例によるトラックシート開閉装置及びトラックシートは、荷台の側面があおりで覆われている、いわゆる平ボディの車両に用いるが、１．５トン〜２トンの車両に特に適しており、トラックシートを車両に常設することも可能であり、一人でもトラックシートの開閉操作ができることから省力化と作業性向上を図ることができる。
【符号の説明】
【００２９】
１  キャビン
２  荷台
３  鳥居
４ａ  後あおり
４ｂ  側あおり
１０  レール部材
１１  レール上面
１２  溝
１３  レールリア面
１４  レールフロント面
１５  レール下面
２０  ランナー
３０  トラックシート
３０Ｆ  前端部
３０Ｒ  後端部
３０Ｓ  シート側辺部
３０ＳＦ  側辺前端部
３０ＳＲ  側辺後端部
３０ＳＳ  側辺側端部
３１  前端側鳩目
３２  後端側鳩目
３３  耳部
３４ａ、３４ｂ、３４ｃ  側端側鳩目
３５  帯部
３６  帯側鳩目
４０  ストッパー
５０  カラビナ
６０  防雨カバー
７０  バンド
【手続補正２】
【補正対象書類名】特許請求の範囲
【補正対象項目名】全文
【補正方法】変更
【補正の内容】
【特許請求の範囲】
【請求項１】
運転席を有するキャビンと荷物を積載する荷台とを有し、前記キャビンと前記荷台との間には鳥居が配置され、前記荷台が後あおり及び一対の側あおりで囲まれる車両に用いるトラックシート開閉装置であって、
前記キャビンのリア面又は前記鳥居に取り付けるレール部材と、
前記レール部材を摺動する複数のランナーと、
前記荷台を覆うトラックシートと
を備え、
前記トラックシートの前端部には、複数の前端側鳩目を設け、
前記前端側鳩目を、前記ランナーの取り付けに用い、
前記前端側鳩目に取り付けた前記ランナー間を離間させることで、前記トラックシートを荷台幅方向に展開して前記荷台を前記トラックシートで覆い、
前記前端側鳩目に取り付けた前記ランナー間を近接させることで、前記トラックシートの前記荷台幅方向の少なくとも一部を収束して前記荷台の少なくとも一方の側部から前記トラックシートを除き、
前記前端側鳩目に取り付けた全ての前記ランナーを、前記レール部材の一方に近接させることで、前記トラックシートを前記荷台の前記側部に収束し、
収束させた前記トラックシートを、巻回又は折り畳むことで前記荷台の前部位置に収容する
ことを特徴とするトラックシート開閉装置。
【請求項２】
運転席を有するキャビンと荷物を積載する荷台とを有し、前記キャビンと前記荷台との間には鳥居が配置され、前記荷台が後あおり及び一対の側あおりで囲まれる車両に用いるトラックシート開閉装置であって、
前記キャビンのリア面又は前記鳥居に取り付けるレール部材と、
前記レール部材を摺動する複数のランナーと、
前記荷台を覆うトラックシートと
を備え、
前記トラックシートの前端部には、複数の前端側鳩目を設け、
前記前端側鳩目を、前記ランナーの取り付けに用い、
前記前端側鳩目に取り付けた前記ランナー間を離間させることで、前記トラックシートを荷台幅方向に展開して前記荷台を前記トラックシートで覆い、
前記前端側鳩目に取り付けた前記ランナー間を近接させることで、前記トラックシートの前記荷台幅方向の少なくとも一部を収束して前記荷台の少なくとも一方の側部から前記トラックシートを除き、
前記レール部材の端部には、前記ランナーの移動を規制するストッパーを有し、
前記ストッパーを取り外すことで、前記ランナーを前記レール部材から取り外す
ことを特徴とするトラックシート開閉装置。
【請求項３】
前記レール部材を、
長手方向に溝を形成したレールリア面と、
前記レールリア面と対向するレールフロント面と、
前記レールリア面のリア面上端と前記レールフロント面のフロント面上端とをつなぐレール上面と、
前記レールリア面のリア面下端と前記レールフロント面のフロント面下端とをつなぐレール下面と
で筒状に形成した
ことを特徴とする請求項１又は請求項２に記載のトラックシート開閉装置。
【請求項４】
運転席を有するキャビンと荷物を積載する荷台とを有し、前記キャビンと前記荷台との間には鳥居が配置され、前記荷台が後あおり及び一対の側あおりで囲まれる車両に用いるトラックシート開閉装置であって、
前記キャビンのリア面又は前記鳥居に取り付けるレール部材と、
前記レール部材を摺動する複数のランナーと、
前記荷台を覆うトラックシートと
を備え、
前記トラックシートの前端部には、複数の前端側鳩目を設け、
前記前端側鳩目を、前記ランナーの取り付けに用い、
前記前端側鳩目に取り付けた前記ランナー間を離間させることで、前記トラックシートを荷台幅方向に展開して前記荷台を前記トラックシートで覆い、
前記前端側鳩目に取り付けた前記ランナー間を近接させることで、前記トラックシートの前記荷台幅方向の少なくとも一部を収束して前記荷台の少なくとも一方の側部から前記トラックシートを除き、
前記トラックシートの後端部には、複数の後端側鳩目を設け、
前記後端側鳩目を、前記荷台に前記トラックシートを取り付けるバンド止めに用いる
ことを特徴とするトラックシート開閉装置。
【請求項５】
前記トラックシートの両側部には、それぞれシート側辺部を有し、
前記レール部材を前記後あおりの上端よりも高い位置に設置し、
前記シート側辺部は、側辺前端部を側辺後端部よりも長くした
ことを特徴とする請求項１から請求項４のいずれか１項に記載のトラックシート開閉装置。
【請求項６】
運転席を有するキャビンと荷物を積載する荷台とを有し、前記キャビンと前記荷台との間には鳥居が配置され、前記荷台が後あおり及び一対の側あおりで囲まれる車両に用いるトラックシート開閉装置であって、
前記キャビンのリア面又は前記鳥居に取り付けるレール部材と、
前記レール部材を摺動する複数のランナーと、
前記荷台を覆うトラックシートと
を備え、
前記トラックシートの前端部には、複数の前端側鳩目を設け、
前記前端側鳩目を、前記ランナーの取り付けに用い、
前記前端側鳩目に取り付けた前記ランナー間を離間させることで、前記トラックシートを荷台幅方向に展開して前記荷台を前記トラックシートで覆い、
前記前端側鳩目に取り付けた前記ランナー間を近接させることで、前記トラックシートの前記荷台幅方向の少なくとも一部を収束して前記荷台の少なくとも一方の側部から前記トラックシートを除き、
前記トラックシートの裏面に一対の帯部を設け、
前記帯部に、複数の帯側鳩目を設けた
ことを特徴とするトラックシート開閉装置。
【請求項７】
前記レール上面に防雨カバーを取り付けた
ことを特徴とする請求項３に記載のトラックシート開閉装置。
【請求項８】
前記前端側鳩目を、カラビナを介して前記ランナーに取り付けた
ことを特徴とする請求項１から請求項７のいずれか１項に記載のトラックシート開閉装置。
【請求項９】
運転席を有するキャビンと荷物を積載する荷台とを有し、前記キャビンと前記荷台との間には鳥居が配置され、前記荷台が後あおり及び一対の側あおりで囲まれる車両に用い、
前記キャビンのリア面又は前記鳥居にレール部材が取り付けられ、
前記レール部材を摺動する複数のランナーに取り付けるトラックシートであって、
前端部には、複数の前端側鳩目を設け、
前記前端側鳩目を、前記ランナーの取り付けに用い、
前記前端側鳩目に取り付けた前記ランナー間を離間させることで、荷台幅方向に展開して前記荷台を覆い、
前記前端側鳩目に取り付けた前記ランナー間を近接させることで、前記荷台幅方向の少なくとも一部を収束して前記荷台の少なくとも一方の側部を開放し、
裏面に一対の帯部を設け、
前記帯部に、複数の帯側鳩目を設けた
ことを特徴とするトラックシート。
【請求項１０】
運転席を有するキャビンと荷物を積載する荷台とを有し、前記キャビンと前記荷台との間には鳥居が配置され、前記荷台が後あおり及び一対の側あおりで囲まれる車両に用い、
前記キャビンのリア面又は前記鳥居にレール部材が取り付けられ、
前記レール部材を摺動する複数のランナーに取り付けるトラックシートであって、
前端部には、前記ランナーの取り付けに用いる複数の前端側鳩目を設け、
後端部には、バンド止めに用いる複数の後端側鳩目を設け、
両側部には、それぞれシート側辺部を有し、
前記シート側辺部は、側辺前端部を側辺後端部よりも長くし、
裏面に一対の帯部を設け、
前記帯部に、複数の帯側鳩目を設けた
ことを特徴とするトラックシート。